(57)【要約】【課題】長期使用可能で環境にも優しいセラミックス製品で家庭の浴湯を改質して、安価に温泉の楽しみを提供する。【解決手段】天然放射性元素鉱物と、セラミックス原料とを配合した後、成形し、焼成して、浴湯改質材を形成し、これを浴湯に浸漬することによって、微量放射線によるホルミシス効果で身体の回復機能を向上させると共に、放射線により生成したマイナスイオンの作用で緊張感を解きほぐして、身体及び精神を共に健康にする。【選択図】なし【特許請求の範囲】
【請求項１】
天然放射性元素鉱物とセラミックス原料とを配合した後、成形し、焼成して形成したこ
とを特徴とするセラミックス製の浴湯改質材。
【請求項２】
天然放射性元素鉱物として、モナズ石を配合したことを特徴とする請求項１記載のセラ
ミックス製の浴湯改質材。
【請求項３】
セラミックス原料として、珪藻土を配合したことを特徴とする請求項１又は２記載のセ
ラミックス製の浴湯改質材。
【請求項４】
通水孔を有する容器に請求項１乃至３記載の浴湯改質材を収容して成したことを特徴と
する健康増進具。
【発明の詳細な説明】
【技術分野】
【０００１】
本発明は、浴湯に浸漬するだけで、ホルミシス効果より、健康増進可能な浴湯改質材及
びこれを用いた健康増進具に関する。
【背景技術】
【０００２】
従来より、日々の入浴は健康の維持・増進にとても良いとされているところ、入浴によ
って得られる種々の効能を向上させるべく、各地の天然温泉に含まれるミネラルや無機塩
類、所謂湯の華や、これらにその他の薬剤を添加して成る入浴剤が開発されており、現在
では多種多様のものが提供されている。
【０００３】
研究開発段階や出願段階で先行技術調査を行っておらず、記載すべき先行技術文献を知
りません。
【発明の開示】
【発明が解決しようとする課題】
【０００４】
しかしながら、上記入浴剤は粉状または液状で、浴湯に溶解・混合させるものであり、
浴湯入れ換えの度に、浴湯に入浴剤を添加せねばならず、お風呂好きの日本人が家庭で連
日楽しむためには、甚だ経済的でないばかりか、浴湯と共に入浴剤も廃棄してしまうこと
から、環境保全の点でも問題があった。
【課題を解決するための手段】
【０００５】
本発明は、上記課題に鑑み、反復使用・長期使用可能なセラミックス製品で家庭の浴湯
を温泉湯の如く改質することによって、経済的負荷を低減すると共に、薬剤等の廃棄をな
くし、環境破壊を防止する。
具体的には、モナズ石等の天然放射性元素鉱物と、珪藻土等のセラミックス原料とを配
合した後、成形し、焼成して、セラミックス製の浴湯改質材を形成し、この浴湯改質材を
浴槽内の温湯中に浸漬することによって、モナズ石等から放出される極微量の放射線で、
浴湯を構成する水分子の集合体（クラスター）を細分化して、浴湯の浸透性及び保温力を
向上させる。
又、極微量の放射線を人体に照射することで、細胞の働きを活発にし、新陳代謝を促進
して、免疫力や自然治癒力を高める。
更に、放射線の電離作用で空中にマイナスイオンを発生させ、これを浴びさせたり、呼
吸により体内に取り込ませることによって、自律神経を調整し、緊張感を解きほぐして、
日々の疲れで溜まったストレスを緩和する。
【発明の効果】
【０００６】
要するに本発明は、天然放射性元素鉱物とセラミックス原料とを配合した後、成形し、
焼成して形成したので、これを浴湯に浸漬するだけで、放射線により浴湯を活性化・改質
して、浸透性及び保温力を高めることが出来るため、この浴湯に浸かれば、体表面の隅々
まだ浴湯が浸透し、体を芯から温めることが出来る。
又、微量放射線による刺激で、体の各細胞の働きを活発にし、毛細血管を拡張して、鬱
血していた血行を改善し、これにより、新陳代謝を促進して、免疫力及び自然治癒力を高
め、この様なホルミシス効果により、自宅にいながらして、恰も天然温泉に浸かっている
様な健康増進の恩恵を受けることが出来る。
更に、微量放射線は空気中の酸素等をイオン化して、滝壺周辺や、森林中に多く存在す
るといわれているマイナスイオンを発生するため、マイナスイオンで自律神経に働きかけ
て、森林浴をしているかの様に、心地よい気分にさせることが出来る。
そして、本発明は上記の通り無機鉱物類の焼結体、即ちセラミックスより成り、これに
含まれる放射性元素は長期にわたり、放射線を放出し続けるため、上記の作用・効果は半
永久的に持続し、何度でも繰り返し使用できるだけでなく、廃棄するものが一切ないので
、環境にも優しく、何等危惧することなく、毎日安心して安価に温泉湯を楽しむことが出
来る。
【０００７】
天然放射性元素鉱物として、モナズ石を配合したので、モナズ石はトリウム（Ｔｈ）を
含有し、これが壊変してトロン（Ｔｎ）となり、該トロンの放射線は特に上記ホルミシス
効果を得るのに適しているとされているため、効率良く且つ確実に上記効能を得ることが
出来る。
【０００８】
セラミックス原料として、珪藻土を配合したので、とても容易且つ安価に多孔質体とす
ることが出来、また多孔質体にすることによって、表面部分だけに留まらず、奥深くまで
浴湯が容易に浸透することから、含有する放射性元素鉱物全てに浴湯を接触させて、浴湯
の改質効率を向上させることが出来る。
【０００９】
そして、通水孔を有する容器に上記セラミックス製の浴湯改質材を収容したので、例え
ば浴湯改質材を球状とし、これを複数個収容すれば、浸漬する浴湯改質材の総表面積を増
大させて、効率を更に向上させることが出来、この様にしても、各浴湯改質材が浴槽内で
散らばって入浴の妨げになることはなく、更に清掃時の取り出し等取扱を容易にすること
が出来る等その実用的効果甚だ大である。
【発明を実施するための最良の形態】
【００１０】
本発明に係る浴湯改質材は、天然放射性元素鉱物とセラミックス原料とを配合した後、
成形し、焼成して形成されている。
天然放射性元素鉱物としては、モナズ石（Ｍｏｎａｚｉｔｅ）が良く、モナズ石は放射
性元素であるトリウム（Ｔｈ）を含有し、壊変してトロン（Ｔｎ）となり、該トロンも常
時微量の放射線を放出する。
そして、微量の放射線は人体に悪影響を及ぼすことなく、むしろ刺激することで、健康
増進に有用であるといわれ、これは、微量の放射線がほんの僅かだけ、細胞を傷つけるこ
とにより、細胞は自らの生命を守ために自己修復し、またもし修復が不可の場合は自滅し
、危険要因を有する細胞を未然に排除することで、重大事態の発生を回避する機能（アポ
トーシス）を人体が有し、この機能が活性化するからとされている。
【００１１】
セラミックス原料は、窯炉の常用可能温度で焼結可能なものであれば良く、例えば、陶
石、蝋石、長石、石灰、粘土、珪石、アルミナ等の従前からの一般的窯業原料の中から、
成形時の可塑性、焼成時の耐火度等を考慮し、一種選択するか、二種以上を選択し混合し
て用いれば良いが、特に珪藻土を選択し、配合したものが良い。
珪藻土は、珪藻と呼ばれる植物プランクトンの死骸が堆積して化石化したもので、個々
のプランクトンの死骸、即ち珪藻殻自体が無数のとても微細な気孔を有することから、セ
ラミックス原料として、珪藻土を配合した場合、多孔質体となり、配合割合を適宜調整す
ることで、吸水性を付与したり、透水性を付与することが可能である。
【００１２】
次に実施例を示し、本発明について更に詳細に説明する。
【実施例１】
【００１３】
先ず、モナズ石を２０重量％、シリカと珪藻土を合わせて８０重量％の割合で配合し、
この配合物を直径約２０ｍｍの球状に成形し、乾燥した後、この成形体を約８００℃、２
４時間の条件で焼成し、その後約４８時間かけて徐冷し窯出した。
得られた浴湯改質材は、多孔質体で吸水性及び透水性に富み、強度の点においても十分
使用に耐え得るものであった。
そして、通水孔を有する容器に、上記球状の浴湯改質材を複数個収容して、健康増進具
とした。
【００１４】
この浴湯改質材、及び健康増進具を、被検者に継続使用させた結果、微量放射線のホル
ミシス効果により、免疫力及び自然治癒力が高まり、蓄積していた疲れがとれて、体調が
とても良くなった。
又、被検者の血液粘性が本発明使用前に比べとても低くなり、疲労の溜まり難い、健全
で丈夫な体質に改善された。
尚、本発明品は放射線による殺菌効果も有するため、連日浴湯に浸漬しても、雑菌が増
殖せず、またヌメリが表面に付着することも皆無であった。